(57)【要約】【課題】被記録材の搬送経路を単純化させて、被記録材の表裏両面記録の実行において記録品質を向上させること。【解決手段】本発明の記録装置は、被記録材Ｐへの記録の実行が可能な複数の記録ユニット３Ａ、３Ｂ、３Ｃ、３Ｄ、３Ｅと、前記複数の各記録ユニットに被記録材を個別に搬送する個別搬送経路１３Ａ、１３Ｂ、１３Ｃ、１３Ｄ、１３Ｅと、前記個別搬送経路に個別に設けられ、前記各記録ユニットで被記録材の一面に記録が実行された後、当該被記録材を表裏反転させて再び当該記録ユニットの記録実行領域４７に導く個別反転ユニット３１Ａ、３１Ｂ、３１Ｃ、３１Ｄ、３１Ｅと、を備えている。【選択図】  図２
2011017919.tif 000002
【特許請求の範囲】
【請求項１】
被記録材への記録の実行が可能な複数の記録ユニットと、
前記複数の各記録ユニットに被記録材を個別に搬送する個別搬送経路と、
前記個別搬送経路に個別に設けられ、前記各記録ユニットで被記録材の一面に記録が実行された後、当該被記録材を表裏反転させて再び当該記録ユニットの記録実行領域に導く個別反転ユニットと、を備えていることを特徴とする記録装置。
【請求項２】
請求項１に記載の記録装置において、
前記各個別搬送経路には、前記複数の記録ユニットの下流位置に個別に被記録材を待機可能な個別待機領域が設けられていることを特徴とする記録装置。
【請求項３】
請求項２に記載の記録装置において、
前記個別反転ユニットは、前記各記録ユニットの上流位置に設けられていることを特徴とする記録装置。
【請求項４】
請求項２に記載の記録装置において、
前記個別反転ユニットは、前記個別待機領域内に設けられていることを特徴とする記録装置。
【請求項５】
請求項２〜４のいずれか１項に記載の記録装置において、
前記個別待機領域には、被記録材の乾燥を促す乾燥ユニットが設けられていることを特徴とする記録装置。
【発明の詳細な説明】
【技術分野】
【０００１】
本発明は、被記録材への記録の実行が可能な複数の記録ユニットを備え、且つ被記録材の表裏両面への記録の実行が可能な記録装置に関するものである。
【背景技術】
【０００２】
インクジェット式記録装置等の記録装置の中には、下記の特許文献１に示すように単一の筺体内に複数の記録ユニットを設置面に垂直な縦方向に多段状に配設した記録装置が存在する。また、上記記録装置の中には、被記録材の表裏両面に記録の実行が可能な両面記録対応の記録装置が存在しており、このような両面記録対応の記録装置には、被記録材の表裏面のいずれか一面の記録が実行された後、当該被記録材を表裏反転させて再び当該記録ユニットの存する記録実行領域に導く反転ユニットが設けられている。
【発明の概要】
【発明が解決しようとする課題】
【０００３】
しかしながら、上述したように記録ユニットを複数配設している場合に、単一の反転ユニットによって各記録ユニットにおいて個別に被記録材を表裏反転させるように構成すると、被記録材の搬送経路が複雑になって、被記録材の詰まり等の搬送トラブルを引き起こし易くなり、メンテナンス性が低下する。また、上述のように被記録材の搬送経路が複雑になると、上記複数の各記録ユニットと単一の反転ユニットとの間のそれぞれの距離に大きな差が生じ易くなるため、被記録材の表面と裏面の記録実行位置の位置合わせが困難になる。
【０００４】
そこで、本発明に係る幾つかの態様が解決する課題は、被記録材の搬送経路を単純化させて、被記録材の表裏両面記録の実行において記録品質を向上させることにある。
【課題を解決するための手段】
【０００５】
上記課題を解決するために本発明の第１の態様に係る記録装置は、被記録材への記録の実行が可能な複数の記録ユニットと、前記複数の各記録ユニットに被記録材を個別に搬送する個別搬送経路と、前記個別搬送経路に個別に設けられ、前記各記録ユニットで被記録材の一面に記録が実行された後、当該被記録材を表裏反転させて再び当該記録ユニットの記録実行領域に導く個別反転ユニットと、を備えていることを特徴とするものである。
【０００６】
本態様によれば、記録ユニットが個別に設けられている個別搬送経路に、前記各記録ユニットで被記録材の一面に記録が実行された後、当該被記録材を表裏反転させて再び当該記録ユニットの記録実行領域に導く個別反転ユニットを個別に備えているので、以下の作用効果が得られる。  
単一の反転ユニットの場合より被記録材の搬送経路が単純化され、被記録材の搬送が円滑になって記録装置のメンテナンス性を向上させることができる。また、個別搬送経路の導入に伴なう上記被記録材の搬送経路の単純化によって、複数の各記録ユニットと各個別反転ユニットとの間の距離に大きな差が生じないため、すなわち各距離をほぼ同距離に設定することが可能であるので、被記録材の表面と裏面の両面に記録を実行する際に、記録実行品質を向上させることができる。特に、表面と裏面の記録実行位置について高精度での記録が可能となる。
【０００７】
本発明の第２の態様は、前記第１の態様の記録装置において、前記各個別搬送経路には、前記複数の記録ユニットの下流位置に個別に被記録材を待機可能な個別待機領域が設けられていることを特徴とするものである。
【０００８】
本態様によれば、複数の記録ユニットの下流位置に個別に被記録材を待機可能な個別待機領域が設けられているので、以下の作用効果が得られる。すなわち、複数の記録ユニットの下流位置に単一の被記録材収容ユニットを配設して、該単一の被記録材収容ユニットに被記録材を順番通りに送り出す構造の記録装置構成とした場合に、各記録ユニットによる記録データの軽重の違いにより、各記録ユニットにおける記録終了の順番に前後が生じてずれることがあるが、それでも、当該個別待機領域に被記録材を適宜待機させることよって前記ずれを吸収して前記順番通りに送り出すことが可能になる。
【０００９】
それに加えて、本態様によれば、被記録材の一方の面に記録を行った後、他方の面に記録を行うために被記録材を反転させて再び当該記録ユニットの記録実行領域に導く必要があるが、その際、当該個別待機領域を前記一方の面が記録された状態の被記録材のインク乾燥を促す領域として利用することができる。従って、被記録材の被記録面に吐出されたインクの乾燥を進めた状態にして該被記録材を上流側に戻すことが可能となり、搬送ローラー等へのインクの付着や被記録面の擦すれ等の問題の発生を低減することができる。  
また、個別待機領域は、各個別搬送経路毎に設けられているから、各個別搬送経路単位で乾燥待機時間を調整することも可能になる。
【００１０】
本発明の第３の態様は、前記第２の態様の記録装置において、前記個別反転ユニットは、前記各記録ユニットの上流位置に設けられていることを特徴とするものである。
【００１１】
本態様によれば、個別反転ユニットの構造が簡単になり、反転に伴なう被記録材の往復移動距離が短かくて済むから、製品コストの削減と、記録実行時間の短縮とが図られる。
【００１２】
本発明の第４の態様は、前記第２の態様の記録装置において、前記個別反転ユニットは、前記個別待機領域内に設けられていることを特徴とするものである。
【００１３】
本態様によれば、個別待機領域内で、被記録材の被記録面に吐出されたインクの乾燥と、被記録材の表裏反転とを連続的に行なうことができ、被記録材を記録実行領域の上流位置に戻す際に生ずる搬送ローラー等へのインクの付着や被記録面の擦すれ等の問題を低減することができる。
【００１４】
本発明の第５の態様は、前記第２の態様から第４の態様のいずれか１つの態様の記録装置において、前記個別待機領域には、被記録材の乾燥を促す乾燥ユニットが設けられていることを特徴とするものである。
【００１５】
本態様によれば、個別待機領域での被記録材のインクの乾燥が一層促進されるから、乾燥時間の短縮によって被記録材の表裏両面合計の記録実行時間の短縮と記録品質の向上が図られる。
【図面の簡単な説明】
【００１６】
【図１】本発明の実施例に係るインクジェット式記録装置の内部構造の概略を示す側断面図。
【図２】本発明の実施例に係る最下層の個別搬送経路を示す側断面図。
【図３】本発明の実施例に係る記録ユニットと個別反転ユニットの部分を拡大して示す側断面図。
【図４】本発明の他の実施例に係る最下層の個別搬送経路を示す側断面図。
【図５】本発明の更に他の実施例に係る最下層の個別搬送経路を示す側断面図。
【発明を実施するための形態】
【００１７】
以下、本発明に係る記録装置の実施の形態について、詳細に説明する。最初に本発明の記録装置を実施するための形態としてインクジェット式記録装置を採り上げて、該インクジェット式記録装置の概略構成を図１に基づいて説明する。  
図示のインクジェット式記録装置１は、被記録材（以下、用紙とも言う）Ｐの表裏両面への記録の実行が可能な記録ユニット３を一例として５基備えており、高速且つ大量印刷が可能である。尚、上記５基の記録ユニット３を総称したものを本明細書において記録ユニット群１０３と称する。更に、被記録材Ｐには、用紙の他、ポリエステル等のフィルム材等も含まれる。
【００１８】
このインクジェット式記録装置１は、筺体５の内部に用紙Ｐを搬送経路７に向けて供給する単一の供給ユニット９と、該供給ユニット９によって供給された用紙Ｐを搬送する一つの共通供給経路１１と五つの個別搬送経路１３（五つを区別するときは１３Ａ、１３Ｂ、１３Ｃ、１３Ｄ、１３Ｅと記す）と一つの共通排出経路１５とを備える前記搬送経路７と、を備えている。更に、前記五つの個別搬送経路１３Ａ、１３Ｂ、１３Ｃ、１３Ｄ、１３Ｅに対して個別に設けられる５基の記録ユニット３（五つを区別するときは３Ａ、３Ｂ、３Ｃ、３Ｄ、３Ｅと記す）と同じく５基設けられる個別反転ユニット３１（五つを区別するときは３１Ａ、３１Ｂ、３１Ｃ、３１Ｄ、３１Ｅと記す）と、上記共通排出経路１５の終端部に設けられ排出された用紙Ｐを収容する単一の収容ユニット１７と、を備えている。
【００１９】
このうち、供給ユニット９は、設置面ＧＬに近い筺体５の下部に一例として設けられており、複数枚の用紙Ｐを積畳状態でセットし得る給送カセット１９と、給送カセット１９内にセットされた用紙Ｐを最上位の用紙Ｐから順番に１枚ずつ上記搬送経路７に向けて給送する図示しない給送ローラーを含む給送機構とを備えている。  
共通供給経路１１は、前記供給ユニット９が設けられている筺体５の図１における左方下部から設置面ＧＬと離れる方向すなわち筺体５の上部に向けて、一例として設置面ＧＬと垂直な縦方向Ｚに延びている。そして、該共通供給経路１１の途中には、供給された用紙Ｐに搬送力を付与する一対のニップローラーによって構成されている送りローラー２１が適宜の数、設けられている。
【００２０】
また、前記共通供給経路１１の途中及び終端部には、上述した五つの個別搬送経路１３Ａ、１３Ｂ、１３Ｃ、１３Ｄ、１３Ｅに各別に用紙Ｐを導くための湾曲した五つの搬入経路２３Ａ、２３Ｂ、２３Ｃ、２３Ｄ、２３Ｅが設けられている。該搬入経路２３Ａ、２３Ｂ、２３Ｃ、２３Ｄ、２３Ｅは、最上部の搬入経路２３Ｅを除いた四ヶ所では分岐フラッパー２５Ａ、２５Ｂ、２５Ｃ、２５Ｄを介して、上記共通供給経路１１から枝分かれするように設けられている。  
尚、上記五本の搬入経路２３Ａ、２３Ｂ、２３Ｃ、２３Ｄ、２３Ｅにも上述した共通供給経路１１に対して設けられている送りローラー２１と同様の送りローラー２７が設けられている。
【００２１】
前記分岐フラッパー２５は、回動軸を支点として所定の角度回動し得るフラッパーである。分岐フラッパー２５は、その回動位置を第１の位置と第２の位置とに切り替えることによって用紙Ｐを共通供給経路１１の終端部に向けて設置面ＧＬと垂直な縦方向Ｚに供給したり、途中で設置面ＧＬと平行な横方向Ｙに方向を変えて用紙Ｐが適宜の個別搬送経路１３に搬入されるようにする役割を有している。
【００２２】
個別搬送経路１３は、図示のように横方向Ｙに沿って図１中、一例として左から右に向けて延びている。そして、設置面ＧＬに近い最下層の個別搬送経路１３Ａから所定の間隔を隔てて設置面ＧＬと離れる縦方向Ｚに向けて、個別搬送経路１３Ｂ、１３Ｃ、１３Ｄ、１３Ｅの順で合計五つの個別搬送経路１３Ａ、１３Ｂ、１３Ｃ、１３Ｄ、１３Ｅが設けられている。  
尚、個別搬送経路１３の具体的構成と、個別搬送経路１３に対して配設されている記録ユニット３や個別反転ユニット３１の概略の構成と配置については後述する。
【００２３】
各個別搬送経路１３の終端部には、共通排出経路１５に表裏面の記録が実行された用紙Ｐを導くための湾曲した五つの搬出経路３３Ａ、３３Ｂ、３３Ｃ、３３Ｄ、３３Ｅがそれぞれ設けられている。
【００２４】
尚、前記五つの搬出経路３３Ａ、３３Ｂ、３３Ｃ、３３Ｄ、３３Ｅにも上述した共通供給経路１１に対して設けられている送りローラー２１と同様の送りローラー３５が一例として２対ずつ設けられている。
【００２５】
共通排出経路１５は、上記共通供給経路１１と反対側の筺体５の図１中、右方下部から設置面ＧＬと離れる方向すなわち筺体５の上部に向けて、一例として設置面ＧＬと垂直な縦方向Ｚに沿って延びている。そして、該共通排出経路１５の途中には、排出された用紙Ｐに搬送力を付与する一対のニップローラーによって構成されている送りローラー３９が適宜の数、設けられている。
【００２６】
また、共通排出経路１５の終端部には、図１中、一例として右斜め上方に向けて傾斜している案内スロープ４１が設けられている。該案内スロープ４１の終端部に臨む案内スロープ４１の下方には、排出された用紙Ｐを順番にスタックするための排出スタッカ４３によって一例として構成される単一の収容ユニット１７が配設されている。  
この他、筺体５内には、前記各記録ユニット３Ａ、３Ｂ、３Ｃ、３Ｄ、３Ｅに各色のインクを供給する公知の単一のインク供給ユニット８９と、前記各記録ユニット３Ａ、３Ｂ、３Ｃ、３Ｄ、３Ｅから吐出され、記録の実行に使用されなかったインクを回収する公知の廃インクタンク９１と、が設けられている。
【００２７】
そして、このように構成されるインクジェット式記録装置１によって供給ユニット９にセットされた用紙Ｐは、５基の記録ユニット３Ａ、３Ｂ、３Ｃ、３Ｄ、３Ｅに順番に供給され、用紙Ｐの表裏面の記録が実行されて順番に単一の収容ユニット１７に収容されて行く。  
従って、記録ユニット３自体の性能を向上させた新規の記録ユニットを開発することなく既存の技術を用いて、用紙Ｐの表裏面の記録実行速度の高速化を図ることが可能になっている。
【００２８】
［実施例１］
次に、図２、図３に基づいて本発明の特徴的構成である個別搬送経路１３の構成と、該個別搬送経路１３に対して設けられる諸部材の概略の構成と配置について具体的に説明する。  
尚、図２では一例として最下層の個別搬送経路１３Ａを示しているが、他の個別搬送経路１３Ｂ、１３Ｃ、１３Ｄ、１３Ｅについても構成は同じであるので最下層の個別搬送経路１３Ａを例にとって説明する。
【００２９】
個別搬送経路１３には、用紙Ｐの被記録面となる表裏面にインクを吐出して記録を実行する記録ユニット３と、用紙Ｐの表裏面のいずれか一面に記録が実行された後、当該用紙Ｐを表裏反転させて再び当該記録ユニット３の記録実行領域４７に導く個別反転ユニット３１とが設けられている。個別反転ユニットによる反転のための領域を前記記録実行領域４７に対して反転領域４９と称す。
【００３０】
また、本実施例では、前記記録ユニット３すなわち記録実行領域４７の下流位置に、記録が実行された用紙Ｐを一時的に待機させておくことができる五つの個別待機領域５１（五つを区別するときは５１Ａ、５１Ｂ、５１Ｃ、５１Ｄ、５１Ｅと記す）が設けられている。この個別待機領域５１は、用紙Ｐの被記録面に吐出されたインクの乾燥を促がすための領域としての利用ができるようになっている。
【００３１】
記録実行領域４７を成す記録ユニット３は、各色のインクを用紙Ｐの被記録面に吐出して記録を実行する記録ヘッド５３と、該記録ヘッド５３を搭載して一例として用紙Ｐの幅方向に往復移動するキャリッジ５５と、前記記録ヘッド５３のインク吐出面と対向する位置にギャップＰＧを隔てて配設される用紙Ｐの支え部５７とを備えている。
【００３２】
また、記録実行領域４７には、前記記録ヘッド５３と前記支え部５７との間のギャップＰＧに向けて用紙Ｐを給送するための一対のニップローラーによって構成されている給送ローラー５９と、用紙Ｐの搬送を案内する案内部材６１と、該案内部材６１の終端位置に設けられ、用紙Ｐに搬送力を付与する一対のニップローラーによって構成されている搬送ローラー６３と、該記録実行領域４７の下流位置に設けられ、記録が実行された用紙Ｐを前記個別待機領域５１に導くための一対のニップローラーによって構成されている排出ローラー６５とが設けられている。
【００３３】
反転領域４９は、本実施例では図３に拡大して示すように前記録実行領域４７の上流位置に設けられている。該反転領域４９には、図３中、一例として上流側斜め上方に向けて突出した形状の個別反転ユニット３１が配設されている。  
個別反転ユニット３１は、内部にループ状の用紙Ｐの反転経路６９が形成されているハウジング７１と、上記反転経路６９と個別搬送経路１３との合流部に設けられる分岐フラッパー７３と、反転経路６９内に供給された用紙Ｐを表裏反転させるための搬送力を付与する反転ローラー７５とを備えている。
【００３４】
個別待機領域５１は、図２に示すように前記記録実行領域４７の排出ローラー６５の下流位置に設けられており、該排出ローラー６５によって記録実行領域４７から排出された用紙Ｐを支持する待機トレイ７９と、前記排出ローラー６５と同様の構成で該待機トレイ７９の終端位置に設けられる一対のニップローラーによって構成されている搬送ローラー８１とを備えている。  
尚、前記五つある個別搬送経路１３Ａ、１３Ｂ、１３Ｃ、１３Ｄ、１３Ｅに設けられている五つの個別待機領域５１Ａ、５１Ｂ、５１Ｃ、５１Ｄ、５１Ｅを総称したものを本明細書において待機エリア１５１と称する。
【００３５】
次に、このようにして構成される本実施例に係る記録装置１の個別搬送経路１３での作動態様を、（１）一面記録時と、（２）待機時と、（３）二面記録時とに分けて、説明する。
【００３６】
（１）一面記録時
個別搬送経路１３に供給された用紙Ｐは、給送ローラー５９の送り作用と、案内部材６１による案内作用とによって記録ヘッド５３と支え部５７との間のギャップＰＧに向けて給送される。尚、この時、分岐フラッパー７３は、給送ローラー５９下流の搬送経路７を開放状態にする退避位置に位置している。
【００３７】
そして、用紙Ｐの被記録面の始端が記録ヘッド５３下方のインク吐出位置に至ると、支え部５７によって記録ヘッド５３との間の所定のギャップＰＧが維持された状態で、キャリッジ５５によって往復移動される記録ヘッド５３のインク吐出面からインクが吐出され、用紙Ｐの表面と裏面のいずれか一面の記録が実行される。  
尚、記録実行領域４７での用紙Ｐの搬送は、搬送ローラー６３と排出ローラー６５によって行われ、排出ローラー６５によって記録実行領域４７から排出された用紙Ｐは、下流の個別待機領域５１に送られる。
【００３８】
（２）待機時
本実施例のように、複数の記録ユニット３Ａ、３Ｂ、３Ｃ、３Ｄ、３Ｅの下流位置に単一の被記録材収容ユニット１７を配設して、該単一の収容ユニット１７に用紙Ｐを順番通りに送り出す構造の記録装置構成とした場合に、各記録ユニット３Ａ、３Ｂ、３Ｃ、３Ｄ、３Ｅにおける記録データの軽重の違いにより、各記録ユニット３Ａ、３Ｂ、３Ｃ、３Ｄ、３Ｅにおける記録終了の順番に前後が生じてずれることがある。それでも、当該個別待機領域５１Ａ、５１Ｂ、５１Ｃ、５１Ｄ、５１Ｅに用紙Ｐを適宜待機させることよって前記ずれを吸収して前記順番通りに送り出すことが可能になる。
【００３９】
それに加えて、本実施例によれば、用紙Ｐの一方の面に記録を行った後、他方の面に記録を行うために個別反転ユニット３１によって用紙Ｐを反転させて再び当該記録ユニット３の記録実行領域に導く必要があるが、その際、当該個別待機領域５１を前記一方の面が記録された状態の用紙Ｐのインク乾燥を促す領域として利用することができる。従って、用紙Ｐの被記録面に吐出されたインクの乾燥を進めた状態にして該用紙Ｐを上流側に戻すことが可能となり、搬送ローラー６３等へのインクの付着や被記録面の擦すれ等の問題の発生を低減することができる。  
また、個別待機領域５１Ａ、５１Ｂ、５１Ｃ、５１Ｄ、５１Ｅは、各個別搬送経路１３Ａ、１３Ｂ、１３Ｃ、１３Ｄ、１３Ｅ毎に設けられているから、各個別搬送経路単位で乾燥待機時間を調整することも可能になる。
【００４０】
（３）二面記録時
記録実行領域４７に戻された用紙Ｐは、分岐フラッパー７３が給送ローラー５９下流の搬送経路７を閉塞して反転経路６９を開放状態にする反転作用位置に回動することによって反転経路６９に導かれる。  
用紙Ｐは、反転ローラー７５からの搬送力を受けて反転経路６９に沿って１回転し、上記（１）一面記録時において記録が実行された一面と反対側の二面を上向きにして記録ヘッド５３のインク吐出面に対向させた反転姿勢で記録実行領域４７に送られる。
【００４１】
以下、上記（１）一面記録時と同様に、用紙Ｐは、該用紙Ｐの二面側の記録が実行され、用紙Ｐの二面の記録実行後、排出ローラー６５によって下流の個別待機領域５１に送られる。  
そして、待機トレイ７９の終端部の搬送ローラー８１、上述した搬出経路３３に設けられている送りローラー３５及び共通排出経路１５に設けられている送りローラー３９からの搬送力を受けて収容ユニット１７内に収容されて行く。各記録ユニット３Ａ、３Ｂ、３Ｃ、３Ｄ、３Ｅにおける記録データの軽重の違いにより、各記録ユニット３Ａ、３Ｂ、３Ｃ、３Ｄ、３Ｅにおける記録終了の順番に前後が生じてずれることがあるが、当該個別待機領域５１Ａ、５１Ｂ、５１Ｃ、５１Ｄ、５１Ｅに用紙Ｐを適宜待機させることよって前記ずれを吸収して前記順番通りに送り出すことが可能である。
【００４２】
［実施例２］
図４は、本発明の他の実施例に係る最下層の個別搬送経路を示す側断面図である。  
同図に示した記録装置１Ａのように、個別反転ユニット３１（３１Ａ、３１Ｂ、３１Ｃ、３１Ｄ、３１Ｅ）を各記録ユニット３Ａ、３Ｂ、３Ｃ、３Ｄ、３Ｅの下流の個別待機領域５１内に設けてもよい。
【００４３】
本実施例によれば、個別待機領域５１内で、用紙Ｐの被記録面に吐出されたインクの乾燥と、用紙Ｐの表裏反転とを連続的に行なうことができ、用紙Ｐを記録実行領域４７の上流位置に戻す際に生ずる搬送ローラー６３等へのインクの付着や被記録面の擦すれ等の問題を低減することができる。
【００４４】
［実施例３］
図５は、本発明の更に他の実施例に係る最下層の個別搬送経路を示す側断面図である。  
同図に示した記録装置１Ｂのように、個別待機領域５１に一時待機中の用紙Ｐに温風や冷風を当ててインクの乾燥を促がす送風式の乾燥ユニット８５や図示しないヒーター等を設けることも可能である。
【００４５】
本実施例によれば、個別待機領域５１での用紙Ｐのインクの乾燥が一層促進されるから、乾燥時間の短縮によって用紙Ｐの表裏両面合計の記録実行時間の短縮と記録品質の向上が図られる。
【００４６】
〔他の実施例〕
本発明に係る記録装置１は以上述べたような構成を基本とするものであるが、本願発明の要旨を逸脱しない範囲内の部分的構成の変更や省略等を行うことも勿論可能である。  
例えば、記録ユニット３の基数は、５基に限らず、２、３、４基でもよいし、６基以上設けることも可能である。これに伴なって、個別搬送経路１３、搬入経路２３、搬出経路３３の個数や個別反転ユニット３１の基数も適宜、増減することが可能である。
【符号の説明】
【００４７】
１  インクジェット式記録装置（記録装置）、３  記録ユニット、５  筺体、７  搬送経路、９  供給ユニット、１１  共通供給経路、１３  個別搬送経路、１５  共通排出経路、１７  収容ユニット、１９  給送カセット、２１  送りローラー、２３  搬入経路、２５  分岐フラッパー、２７  送りローラー、３１  個別反転ユニット、３３  搬出経路、３５  送りローラー、３９  送りローラー、４１  案内スロープ、４３  排出スタッカ、４７  記録実行領域、４９  反転領域、５１  個別待機領域、５３  記録ヘッド、５５  キャリッジ、５７  支え部、５９  給送ローラー、６１  案内部材、６３  搬送ローラー、６５  排出ローラー、６９  反転経路、７１  ハウジング、７３  分岐フラッパー、７５  反転ローラー、７９  待機トレイ、８１  搬送ローラー、８５  送風乾燥ユニット、８９  インク供給ユニット、９１  廃インクタンク、１０３  記録ユニット群、１５１  待機エリア、Ｐ  用紙（被記録材）、ＧＬ  設置面、Ｚ  縦方向、Ｙ  横方向、ＰＧ  ギャップ、
【先行技術文献】
【特許文献】
【００４８】
【特許文献１】特開２００２−１０３７４９号公報
【図１】
2011017919.tif 000003
【図２】
2011017919.tif 000004
【図３】
2011017919.tif 000005
【図４】
2011017919.tif 000006
【図５】
2011017919.tif 000007